(57)【要約】【課題】発電機が一般配電系統に直接接続されている場合に、発電機に付設された自動電圧調整装置の電圧制御と相互干渉することなく、一般配電系統の電圧変動を高精度に抑制することができる静止型無効電力補償装置の制御方法を提供する。【解決手段】電力系統に接続される発電機と、その近隣で起動時に電圧低下を発生させる回転機負荷と、その電圧低下を補償する静止型無効電力補償装置を有する回路構成において、回転機負荷の電流信号を、電圧変動抑制の対象母線から検出された電圧信号と共に、静止型無効電力補償装置への制御信号として用いる。【選択図】　図１
2004104865.tif 000002
【特許請求の範囲】
【請求項１】
電力系統に接続される発電機と、その近隣で起動時に電圧低下を発生させる回転機負荷と、その電圧低下を補償する静止型無効電力補償装置を有する回路構成における前記静止型無効電力補償装置の制御方法において、
前記回転機負荷の電流信号を、電圧変動抑制の対象母線から検出された電圧信号と共に、前記静止型無効電力補償装置への制御信号として用いることを特徴とする静止型無効電力補償装置の制御方法。
【請求項２】
前記発電機に付設された自動電圧調整装置と前記静止型無効電力補償装置の制御による電圧変動抑制制御が相互に干渉しないように、制御信号の応答速度を調整する回路を設けたことを特徴とする請求項１に記載の静止型無効電力補償装置の制御方法。
【請求項３】
前記回転機負荷の起動時の電流信号を検出し、得られた信号に基づいて前記静止型無効電力補償装置を制御することを特徴とする請求項１又は請求項２に記載の静止型無効電力補償装置の制御方法。
【請求項４】
前記回転機負荷の電流信号の変化分信号を用いて、電力系統へ流出する無効電力を一定とするように制御することを特徴とする請求項１乃至請求項３のいずれか一に記載の静止型無効電力補償装置の制御方法。
【請求項５】
前記発電機の無効電力出力信号を検出し、その変化分信号を用いて、電力系統へ流出する無効電力を一定とするように制御することを特徴とする請求項１乃至請求項３のいずれか一に記載の静止型無効電力補償装置の制御方法。
【請求項６】
検出された電流信号の変化分信号を用いた制御信号と、電圧変動抑制の対象母線から検出された電圧信号から得られた制御信号を比較判断し、選択された信号に基づいて静止型無効電力補償装置を制御することを特徴とする請求項４に記載の静止型無効電力補償装置の制御方法。
【請求項７】
検出された電流信号の変化分信号を用いた制御信号と、電圧変動抑制の対象母線から検出された電圧信号から得られた制御信号を加算した信号に基づいて静止型無効電力補償装置を制御することを特徴とする請求項４に記載の静止型無効電力補償装置の制御方法。
【発明の詳細な説明】
【０００１】
【発明の属する技術分野】
本発明は、電力系統の電圧変動を抑制するために設けられる静止型無効電力補償装置（以下、ＳＶＣと記す）の制御方法に関する。
【０００２】
【従来の技術】
図６は、従来のＳＶＣの制御方法を示したものである。すなわち、電力系統に送配電線路５を介して母線４が接続され、この母線４に回転機負荷３、発電機２及びＳＶＣ１が接続されている。上記発電機２は、電圧検出装置７から電圧信号を得て、自動電圧調整装置（以下、ＡＶＲと記す）６によって端子電圧の制御を行っている。また、ＳＶＣ１は、母線４の電圧信号を電圧検出装置８から得て、さらにこの信号を電圧信号検出回路１４を介して制御信号作成回路１０に入力し、この制御信号作成回路１０から出力された制御信号によって、母線４の電圧変動分を抑制するように構成されている。
【０００３】
通常、ＳＶＣ１は、発電機２が設置されている送電端には設けられず、負荷側の受電端に設けられていたため、電圧制御が可能な発電機２に付設されたＡＶＲ６の電圧制御と、ＳＶＣ１の電圧制御による相互干渉の影響を考慮する必要はなかった。また、発電所に付属する大容量回転機負荷３は専用線によって運用されていたため、一般配電系統負荷への電圧変動による影響は及ばなかった。
【０００４】
【発明が解決しようとする課題】
しかしながら、発電所の運用形態において専用線が廃止され、直接発電機が一般配電系統に接続されるようになったため、発電機に付設されたＡＶＲでの電圧制御による電力品質が、一般配電系統の負荷に多大な影響を及ぼすようになった。
また、発電機の出力制御は、有効電力出力と無効電力出力の割合を一定とする力率一定制御（ＡＰＦＲ）で運転されるため、有効電力の出力が増加すると無効電力も増加し、反対に有効電力の出力が減少すると無効電力も減少する。すなわち、無効電力出力の増減により発電機の端子電圧が変化する。そのために一般配電系統への電圧変動による電力品質が懸念されるという欠点があった。
【０００５】
また、発電所に付属する大容量回転機負荷である誘導電動機の起動時には、遅れの無効電力を電力系統から供給するため、電圧の低下による電圧変動が発生する。そのために、近隣に設置される発電機の端子電圧が変化して、無効電力出力が変化すると共に一般配電系統の電圧が変動し、他の負荷へ悪影響を及ぼすという欠点があった。
【０００６】
本発明は、上述したような従来技術の問題点を解消するために提案されたものであって、その目的は、発電機が一般配電系統に直接接続されている場合に、発電機に付設された自動電圧調整装置の電圧制御と相互干渉することなく、一般配電系統の電圧変動を高精度に抑制することができる静止型無効電力補償装置の制御方法を提供することにある。
【０００７】
【課題を解決するための手段】
上記の目的を達成するため、請求項１の発明は、電力系統に接続される発電機と、その近隣で起動時に電圧低下を発生させる回転機負荷と、その電圧低下を補償する静止型無効電力補償装置を有する回路構成における前記静止型無効電力補償装置の制御方法において、前記回転機負荷の電流信号を、電圧変動抑制の対象母線から検出された電圧信号と共に、前記静止型無効電力補償装置への制御信号として用いることを特徴とする。
【０００８】
上記のような構成を有する請求項１の発明においては、大容量回転機の負荷電流が、直接制御信号として静止型無効電力補償装置へ入力されるために、電流値の大きさやその変化分により補償する無効電力を細かく制御することができる。また、電力系統への外乱による電圧変動抑制制御を、電圧信号からの制御信号で同時に制御することができる。
【０００９】
請求項２の発明は、請求項１に記載の静止型無効電力補償装置の制御方法において、前記発電機に付設された自動電圧調整装置と前記静止型無効電力補償装置の制御による電圧変動抑制制御が相互に干渉しないように、制御信号の応答速度を調整する回路を設けたことを特徴とする。
上記のような構成を有する請求項２の発明においては、発電機に付設された自動電圧調整装置による電圧制御の制御信号応答速度と、静止型無効電力補償装置への制御信号応答速度による電圧変動抑制制御が相互に干渉しないので、隣接する発電機と静止型無効電力補償装置が安定に運用継続でき、電圧変動を抑制することができる。
【００１０】
請求項３の発明は、請求項１又は請求項２に記載の静止型無効電力補償装置の制御方法において、前記回転機負荷の起動時の電流信号を検出し、得られた信号に基づいて前記静止型無効電力補償装置を制御することを特徴とする。
上記のような構成を有する請求項３の発明においては、回転機負荷の起動電流は、ほとんど電圧と９０度位相遅れの無効電流分であるため、直接制御信号として用いることで回転機負荷の無効電流分を静止型無効電力補償装置で補償し、一般配電系統へ流出する無効電流分を抑制して電圧変動を抑制する作用がある。
【００１１】
請求項４の発明は、請求項１乃至請求項３のいずれか一に記載の静止型無効電力補償装置の制御方法において、前記回転機負荷の電流信号の変化分信号を用いて、電力系統へ流出する無効電力を一定とするように制御することを特徴とする。
上記のような構成を有する請求項４の発明においては、検出した電流信号の変化が一定であり、電流値が定格値より小さい信号であれば、近隣の回転機負荷が起動完了し、通常運転状態であり、無効電流分は起動時に比べて少ないと判断できる。そのため、起動時と運転状態を区別した信号で静止型無効電力補償装置を制御することで、適切に電圧変動を抑制する作用がある。
【００１２】
請求項５の発明は、請求項１乃至請求項３のいずれか一に記載の静止型無効電力補償装置の制御方法において、前記発電機の無効電力出力信号を検出し、その変化分信号を用いて、電力系統へ流出する無効電力を一定とするように制御することを特徴とする。
上記のような構成を有する請求項５の発明においては、発電機とその近隣に設置された大容量回転機の起動時や電力系統の故障時に発生する電圧変動に起因する発電機の無効電力出力の変化を検出し、この無効電力出力の変化を抑制するように静止型無効電力補償装置を制御し、電力系統への無効電力の変化分を補償することで、電圧変動を抑制することができる。
【００１３】
請求項６の発明は、請求項４に記載の静止型無効電力補償装置の制御方法において、検出された電流信号の変化分信号を用いた制御信号と、電圧変動抑制の対象母線から検出された電圧信号から得られた制御信号を比較判断し、選択された信号に基づいて静止型無効電力補償装置を制御することを特徴とする。
上記のような構成を有する請求項６の発明においては、対象とする母線の電圧変動信号が負荷電流変動信号より大きいか小さいかを判断し、いずれかの信号を選択して静止型無効電力補償装置を制御することで、定常時の電圧制御と大容量回転機負荷の起動に伴う過渡的な電圧制御を区別して制御し、電圧変動を抑制できる作用がある。
【００１４】
請求項７の発明は、請求項４に記載の静止型無効電力補償装置の制御方法において、検出された電流信号の変化分信号を用いた制御信号と、電圧変動抑制の対象母線から検出された電圧信号から得られた制御信号を加算した信号に基づいて静止型無効電力補償装置を制御することを特徴とする。
上記のような構成を有する請求項７の発明においては、電圧信号と電流変化分信号を加算した信号で静止型無効電力補償装置を制御するため、電圧変動を抑制する無効電力と、電圧と位相が９０度遅れた無効電流分の補償を同時に制御し、電圧変動を抑制する作用がある。
【００１５】
【発明の実施の形態】
以下、本発明に係る静止型無効電力補償装置（ＳＶＣ）の制御方法の実施の形態を、図面を参照して具体的に説明する。なお、図６に示した従来型と同一の部材には同一の符号を付して、説明は省略する。
【００１６】
（１）第１実施形態
（１−１）構成
図１は、本実施形態におけるＳＶＣの制御信号作成方法を示す機能ブロック図である。すなわち、１は制御信号作成回路１０からの出力信号によって制御されて無効電力を出力するＳＶＣ、２は発電機、３は発電機２の近隣に設置されている大容量回転機負荷、４は母線、５は母線４と電力系統を接続する送配電線路、６は発電機の端子電圧を調整するＡＶＲ、７はＡＶＲ６への入力信号を検出する電圧検出装置、８は母線４の電圧を検出する電圧検出装置、９は発電機３の負荷電流を検出する電流検出装置、１０はＳＶＣ１への入力信号を作成する制御信号作成回路である。
【００１７】
（１−２）作用・効果
次に、本実施形態によるＳＶＣの制御信号作成方法について説明する。
すなわち、本実施形態においては、発電機２の近隣に設置されている大容量回転機の負荷電流を電流検出装置９で検出すると共に、電圧制御される母線４の電圧を電圧検出装置８で検出する。これら電圧検出装置８及び電流検出装置９で検出された信号を、制御信号作成回路１０に入力する。そして、制御信号作成回路１０で作成された制御信号をＳＶＣ１に入力し、ＳＶＣ１より出力される無効電力を電力系統へ供給する。
【００１８】
このように、本実施形態においては、発電機とその近隣に大容量回転機が設置されている場合に、電圧信号と共に電流信号をも加味して制御信号を作成する。すなわち、大容量回転機の負荷電流を検出し、その電流信号をＳＶＣ１への制御信号として採用する。したがって、大容量回転機の負荷電流を直接補償することができる。
【００１９】
このように、本実施形態によれば、大容量回転機の負荷電流が、直接制御信号としてＳＶＣ１へ入力されるために、電流値の大きさやその変化分により補償する無効電力を細かく制御できるという効果がある。また、電力系統への外乱による電圧変動抑制制御を、電圧信号からの制御信号で同時に制御できるという効果がある。
【００２０】
（２）第２実施形態
本実施形態は、上記第１実施形態の変形例であって、ＳＶＣの制御応答速度を、発電機に付設されたＡＶＲの制御応答速度と異なるように調整したものである。
【００２１】
（２−１）構成
図２は、本実施形態におけるＳＶＣの制御信号作成方法を示す機能ブロック図である。すなわち、１は無効電力を出力し電圧変動を抑制するＳＶＣ、３は発電機の近隣に設置されている大容量回転機負荷、４は母線、５は送配電線路、８は母線４の電圧を検出する電圧検出装置、９は大容量回転機負荷３の負荷電流を検出する電流検出装置、１０はＳＶＣ１への入力信号を作成する制御信号作成回路、１１は電流検出装置９からの負荷電流信号検出回路、１２は前記負荷電流信号検出回路１１から得られる信号の変化分を演算する第１の変化分演算回路、１６は第１の変化分演算回路１２で得られた信号の応答速度を調整する第１の応答速度調整回路である。
【００２２】
また、１４は電圧検出装置８の信号を検出する電圧信号検出回路、１５は電圧信号検出回路１４で得られた信号の応答速度を調整する第２の応答速度調整回路である。１３はＳＶＣ１が出力する無効電力出力値である。なお、前記第１の応答速度調整回路１６及び第２の応答速度調整回路１５は、ＳＶＣの制御応答速度を、発電機に付設されたＡＶＲの制御応答速度と異なるように調整するものである。
【００２３】
（２−２）作用・効果
次に、本実施形態によるＳＶＣの制御信号作成方法について説明する。
すなわち、本実施形態においては、発電機２の近隣に設置されている大容量回転機の負荷電流を電流検出装置９で検出し、負荷電流信号検出回路１１へ入力する。この負荷電流信号検出回路１１からの出力信号を、信号の変化分を演算する第１の変化分演算回路１２に入力し、その出力信号を、第１の応答速度調整回路１６を介して制御信号作成回路１０に入力する。
【００２４】
一方、電圧制御される母線４の電圧を電圧検出装置８で検出し、電圧信号検出回路１４へ入力する。この電圧信号検出回路１４からの出力信号を、第２の応答速度調整回路１５を介して制御信号作成回路１０に入力する。すなわち、負荷電流信号及び電圧信号を制御信号作成回路１０に入力する際に、応答速度を調整し、その出力信号でＳＶＣ１を制御し、ＳＶＣ１より無効電力出力値１３を出力する。
【００２５】
このように、本実施形態によれば、ＳＶＣの制御応答速度を、発電機に付設されたＡＶＲの制御応答速度と異なるように調整する応答速度調整回路１５、１６を設け、これらの回路を介してＳＶＣの制御信号を作成し運用することで、ＡＶＲの電圧制御とＳＶＣの電圧制御が相互に干渉することなく、安定に運転でき、電圧変動を抑制することができる。
【００２６】
（３）第３実施形態
本実施形態は上記第２実施形態の変形例であって、図２に示した負荷電流信号検出回路１１によって、回転機負荷３の起動電流信号を検出し、その信号を用いてＳＶＣ１を制御するものである。すなわち、回転機負荷の起動電流は、電圧に対して位相が９０度遅れた無効電流である。そのため、この電流信号を直接制御信号として用いることで、回転機負荷の起動時の無効電流分をＳＶＣ１で補償し、一般配電系統へ流出する無効電流分を抑制して、電圧変動を抑制することができる。
【００２７】
このように、本実施形態によれば、回転機負荷の起動時の無効電流分をＳＶＣで補償しているため、電力系統へ流出する無効電流分が一定となり、電圧変動を抑制することができる。
【００２８】
（４）第４実施形態
本実施形態は、上記第２実施形態の変形例であって、図２に示した負荷電流信号検出回路１１によって回転機負荷３の負荷電流信号を検出し、その変化分に基づいてＳＶＣ１を制御するものである。すなわち、大容量回転機の負荷電流を電流検出装置９で検出し、負荷電流信号検出回路１１へ入力する。この負荷電流信号検出回路１１からの出力信号を、信号の変化分を演算する第１の変化分演算回路１２に入力し、その出力信号を、第１の応答速度調整回路１６を介して制御信号作成回路１０に入力し、その出力信号でＳＶＣ１を制御する。
【００２９】
このように、本実施形態においては、第１の変化分演算回路１２によって、検出された負荷電流の変化分信号を求め、その信号に基づいてＳＶＣ１を制御するように構成されている。すなわち、検出した電流信号の変化が一定であり、電流値が定格値より小さい信号であれば、近隣の回転機負荷が起動完了し、通常運転状態であり、無効電流分は起動時に比べて少ない。そのため、起動時と運転状態を区別した信号でＳＶＣ１を制御することにより、電圧変動の大きい起動時と小さい定常運転時を分けて補償する無効電力を出力することができるので、適切に電圧変動を抑制することができる。
【００３０】
（５）第５実施形態
（５−１）構成
図３は、本実施形態におけるＳＶＣの制御信号作成方法を示す機能ブロック図である。すなわち、１は無効電力を出力し電圧変動を抑制するＳＶＣ、２は発電機、３は発電機の近隣に設置されている大容量回転機負荷、４は母線、５は送配電線路、６は発電機２に付く自動電圧調整装置、７は電圧検出装置、８は母線４の電圧を検出する電圧検出装置、１０はＳＶＣ１への入力信号を作成する制御信号作成回路、１７は発電機２の電流を検出する電流検出装置、１８は電圧検出装置７からの信号と電流検出装置１７からの信号を入力して発電機２の無効電力を検出する無効電力信号検出回路、１９は無効電力信号検出回路１８から得られる信号の変化分を演算する第２の変化分演算回路である。
【００３１】
（５−２）作用・効果
次に、本実施形態によるＳＶＣの制御信号作成方法について説明する。
すなわち、本実施形態においては、電圧検出装置７及び電流検出装置１７からの信号を発電機２の無効電力信号検出回路１８に入力する。その出力信号を第２の変化分演算回路１９を介して制御信号作成回路１０へ入力し、制御信号作成回路１０からの出力信号によってＳＶＣ１を制御し、ＳＶＣ１から出力された無効電力を電力系統に供給する。
【００３２】
本実施形態においては、発電機とその近隣に設置された大容量回転機の起動時や電力系統の故障時に発生する電圧変動に起因する発電機の無効電力出力の変化を検出し、この無効電力出力の変化を抑制するようにＳＶＣ１を制御し、電力系統への無効電力の変化分を補償することで、電圧変動を抑制することができる。
【００３３】
（６）第６実施形態
（６−１）構成
図４は、本実施形態におけるＳＶＣの制御信号作成方法を示す機能ブロック図である。すなわち、１は無効電力を出力し電圧変動を抑制するＳＶＣ、３は発電機の近隣に設置されている大容量回転機負荷、４は母線、５は送配電線路、８は母線４の電圧を検出する電圧検出装置、９は発電機３の負荷電流を検出する電流検出装置、１０はＳＶＣ１への入力信号を作成する制御信号作成回路、１１は電流検出装置９からの負荷電流を検出する負荷電流検出回路、１２は前記負荷電流検出回路１１から得られる信号の変化分を演算する第１の変化分演算回路、１６は第１の変化分演算回路１２で得られた信号の応答速度を調整する第１の応答速度調整回路である。
【００３４】
また、１４は電圧検出装置８の電圧信号を検出する電圧信号検出回路、１５は電圧信号検出回路１４で得られた信号の応答速度を調整する第２の応答速度調整回路である。そして、２０は、第２の応答速度調整回路１５からの出力信号と第１の応答速度調整回路１６からの出力信号を入力し、両者を比較して制御信号を選択する制御信号選択回路である。１３はＳＶＣ１が出力する無効電力出力値である。
なお、前記第１の応答速度調整回路１６及び第２の応答速度調整回路１５は、上記第２実施形態と同様に、ＳＶＣの制御応答速度を、発電機に付設されたＡＶＲの制御応答速度と異なるように調整するものである。
【００３５】
（６−２）作用・効果
次に、本実施形態によるＳＶＣの制御信号作成方法について説明する。
すなわち、本実施形態においては、３の大容量回転機の負荷電流を負荷電流検出装置９で検出し、負荷電流検出回路１１へ入力する。負荷電流検出回路１１からの出力信号を、信号変化分を演算する第１の変化分演算回路１２を介して、信号の応答速度を調整する第１の応答速度調整回路１６へ入力する。その出力信号を制御信号選択回路２０へ入力する。
【００３６】
一方、電圧検出装置８で検出された電圧を、電圧信号検出回路１４を介して第２の応答速度調整回路１５へ入力し、その出力信号を制御信号選択回路２０へ入力する。この制御信号選択回路２０で、電圧信号が電流信号より大きいか否かを判断する。すなわち、起動時か通常運転時かを判断する。得られた信号を制御信号作成回路１０に入力し、ＳＶＣ１を制御し無効電力出力値１３を出力する。
【００３７】
このように本実施形態においては、発電機とその近隣に大容量回転機が設置されている場合に、検出された負荷電流信号の変化分信号を用いた制御信号と、電圧制御される母線の電圧検出信号から得られた信号とを比較判定し、選択された信号に基づいてＳＶＣ１を制御するように構成されている。
【００３８】
すなわち、対象とする母線の電圧変動信号が負荷電流変動信号より大きいか否かを判断し（電圧変動の大きい起動時と電圧変動の小さい通常運転時を、電流信号を用いて判断する）、いずれかの信号を選択し、その信号に基づいてＳＶＣを制御することにより、定常時の電圧制御と大容量回転機負荷の起動に伴う過渡的な電圧制御を区別して制御することができるので、電圧変動を適切に抑制することができる。
【００３９】
このように、本実施形態によれば、回転機の電流信号の大きさを電圧信号と比較判断して得られた信号でＳＶＣを制御することで、電圧変動の大きい起動時の制御と通常運転時を区分けして無効電力を補償することができる。
【００４０】
（７）第７実施形態
（７−１）構成
図５は、本実施形態におけるＳＶＣの制御信号作成方法を示す機能ブロック図である。すなわち、１は無効電力を出力して電圧変動を抑制するＳＶＣ、３は発電機の近隣に設置されている大容量回転機負荷、４は母線、５は送配電線路、８は母線４の電圧を検出する電圧検出装置、９は発電機３の負荷電流を検出する電流検出装置、１０はＳＶＣ１への入力信号を作成する制御信号作成回路、１１は電流検出装置９からの負荷電流を検出する負荷電流検出回路、１２は負荷電流検出回路１１から得られる信号の変化分を演算する第１の変化分演算回路、１６は第１の変化分演算回路１２で得られた信号の応答速度を調整する第１の応答速度調整回路である。
【００４１】
また、１４は電圧検出装置８の電圧信号を検出する電圧信号検出回路、１５は電圧信号検出回路１４で得られた信号の応答速度を調整する第２の応答速度調整回路である。そして、２１は、第２の応答速度調整回路１５からの出力信号と第１の応答速度調整回路１６からの出力信号を入力し、両者を加算して制御信号とする加算回路である。１３はＳＶＣ１が出力する無効電力出力値である。
【００４２】
（７−２）作用・効果
次に、本実施形態によるＳＶＣの制御信号作成方法について説明する。
すなわち、本実施形態においては、３の大容量回転機の負荷電流を負荷電流検出装置９で検出し、負荷電流検出回路１１へ入力する。負荷電流検出回路１１からの出力信号を、信号変化分を演算する回路１２を介して信号の応答速度を調整する回路１６へ入力する。その出力信号を加算回路２１へ入力する。
【００４３】
一方、電圧検出装置８で検出された電圧を、電圧信号検出回路１４を介して第２の応答速度調整回路１５へ入力し、その出力信号を加算回路２１へ入力する。そして、この加算回路２１で、第２の応答速度調整回路１５からの電圧信号と第１の応答速度調整回路１６からの電流信号を加算する。すなわち、本実施形態においては、起動時から運転時を通した電流信号と電圧信号を加算した信号を制御信号作成回路１０に入力し、ＳＶＣ１を制御し補償される無効電力値１３を出力する。
【００４４】
このように、本実施形態においては、発電機とその近隣に大容量回転機が設置されている場合に、この回転機の起動時から定常運転時の電流の変化分を検出した制御信号と、電圧信号からの制御信号を加算した制御信号でＳＶＣを制御することにより、回転機の起動から通常運転までを通して、電圧変動を抑制する無効電力と、電圧と位相が９０度遅れた無効電流分の補償を同時に制御し、電圧変動を抑制することができる。
【００４５】
【発明の効果】
以上述べたように、本発明によれば、電力系統の電圧信号からの制御信号と電流信号からの制御信号の両方に基づいてＳＶＣを制御することで、系統電圧の大きな変動と小さな変動を細かく抑制することができ、また、近隣の電圧制御装置と相互干渉することがない、高精度のＳＶＣの制御方法を提供することができるので、良質の電力供給に大きく寄与することができる。
【図面の簡単な説明】
【図１】本発明に係る静止型無効電力補償装置の制御方法の第１実施形態の構成を示す機能ブロック図。
【図２】本発明に係る静止型無効電力補償装置の制御方法の第２〜第４実施形態の構成を示す機能ブロック図。
【図３】本発明に係る静止型無効電力補償装置の制御方法の第５実施形態の構成を示す機能ブロック図。
【図４】本発明に係る静止型無効電力補償装置の制御方法の第６実施形態の構成を示す機能ブロック図。
【図５】本発明に係る静止型無効電力補償装置の制御方法の第７実施形態の構成を示す機能ブロック図。
【図６】従来の静止型無効電力補償装置の制御方法の構成を示す機能ブロック図。
【符号の説明】
１…静止型無効電力補償装置（ＳＶＣ）
２…発電機
３…大容量回転機負荷
４…母線
５…送配電線路
６…自動電圧調整装置（ＡＶＲ）
７…電圧検出装置
８…電圧検出装置
９…電流検出装置
１０…ＳＶＣの制御信号作成回路
１１…負荷電流検出回路
１２…第１の変化分演算回路
１３…無効電力出力値
１４…電圧信号検出回路
１５…第２の応答速度調整回路
１６…第１の応答速度調整回路
１７…電流検出装置
１８…無効電力信号検出回路
１９…第２の変化分演算回路
２０…制御信号選択回路
２１…加算回路
【図１】
2004104865.tif 000003
【図２】
2004104865.tif 000004
【図３】
2004104865.tif 000005
【図４】
2004104865.tif 000006
【図５】
2004104865.tif 000007
【図６】
2004104865.tif 000008